(57)【要約】【課題】アナログフロントエンド（ＡＦＥ）の後段に配置される画像処理回路において、画像ノイズとＥＭＩの低減を図り、画像処理ＩＣの前半ブロックから後半ブロックへ画像信号を高速転送する際に画像信号のラッチを容易、かつ確実に行う。【解決手段】原稿画像を読み取るＣＣＤ２１と、画像信号のオフセットとゲインを調整しＡ／Ｄ変換するアナログフロントエンド部（ＡＦＥ）２２と、デジタル画像信号にシェーディング補正、入力ガンマ補正、色補正、ＭＴＦ補正、出力ガンマ補正等の画像処理を施す画像処理ＩＣ３６と、源振クロックに基づきスペクトラム拡散クロックを発生させる拡散クロック発生部３２とからなり、画像処理部の前半ブロック３７は源振クロックで駆動し、後半ブロック３９は拡散クロックで駆動する。また、画像信号を前半ブロック３７から後半ブロック３９へ外部メモリコントローラ３８を介して非同期で伝送する。【選択図】図２
2007150560.tif 000002
【特許請求の範囲】
【請求項１】
原稿画像を読み取る光電変換部と、読み取った画像信号のオフセットとゲインを調整しデジタル画像信号に変換するアナログフロントエンド部と、前記デジタル画像信号に画像処理を施す画像処理部と、源振クロックを発生する源振クロック発生部と、前記源振クロックに基づきスペクトラム拡散クロックを発生する拡散クロック発生部とからなり、前記画像処理部は、前記源振クロックで動作し入力画像信号に第１の画像処理を施す前半ブロックと、該前半ブロックで画像処理が施された画像信号を非同期で受信し、前記拡散クロックで動作し第２の画像処理を施す後半ブロックとからなることを特徴とする画像処理装置。
【請求項２】
原稿画像を読み取る光電変換部と、読み取った画像信号のオフセットとゲインを調整しデジタル画像信号に変換するアナログフロントエンド部と、前記デジタル画像信号に画像処理を施す画像処理部と、源振クロックを発生する源振クロック発生部と、前記源振クロックに基づきスペクトラム拡散クロックを発生する拡散クロック発生部とからなり、前記画像処理部は、前記源振クロックで動作し入力画像信号に第１の画像処理を施す前半ブロックと、該前半ブロックで画像処理が施された画像信号を非同期で受信し、外部メモリへの書き込み及び読み出しを行う外部メモリコントローラと、前記拡散クロックで動作し前記外部メモリコントローラが読み出した画像信号を非同期で受信し、第２の画像処理を施す後半ブロックとからなることを特徴とする画像処理装置。
【請求項３】
請求項２に記載の画像処理装置において、
前記拡散クロックの周波数より高い第２の拡散クロックを発生する第２の拡散クロック発生部を備え、前記外部メモリコントローラは前記第２の拡散クロックで動作することを特徴とする画像処理装置。
【請求項４】
請求項１または２に記載の画像処理装置において、
前記画像処理部は、前記デジタル画像信号に対しシェーディング補正処理、入力ガンマ補正処理、色補正処理、ＭＴＦ補正処理等を施し、前記後半ブロックでは少なくとも色補正処理を施すことを特徴とする画像処理装置。
【請求項５】
請求項１または２に記載の画像処理装置において、
前記画像処理部は制御信号生成部を備え、前記光電変換部とアナログフロントエンド部を制御する制御信号を前記源振クロックに基づいて生成することを特徴とする画像処理装置。
【請求項６】
請求項５に記載の画像処理装置において、
前記制御信号生成部は、前記源振クロックを前記光電変換部とアナログフロントエンド部へ供給し、前記光電変換部とアナログフロントエンド部から戻した源振クロックを前記デジタル画像信号とともに前記前半ブロックに供給することを特徴とする画像処理装置。
【請求項７】
請求項１乃至６のいずれかに記載された画像処理装置を備えたことを特徴とする画像読取装置。
【請求項８】
請求項７に記載された画像読取装置を備えたことを特徴とする画像形成装置。
【発明の詳細な説明】
【技術分野】
【０００１】
本発明は、スキャナ、デジタル複写機、デジタルカラー複写機、ファクシミリ等に適用可能な画像処理装置、画像読取装置及び画像形成装置に関し、さらに詳しくは、読み取った画像の信号処理を行う画像処理ＩＣを一定周波数のクロックとスペクトラム拡散クロックで動作させ、画質を劣化させずにＥＭＩを低減する画像処理装置、画像読取装置及び画像形成装置に関する。
【背景技術】
【０００２】
近年における電子機器の高速化、高密度化に伴い、電子機器からのＥＭＩ（電磁障害：Electro Magnetic Interference）は増加する一方である。電子機器から放射されるＥＭＩは他の電子機器に影響を与えるため、様々な規格により制限されており、これらの規格を満たすために、ＥＭＩノイズを効果的に低減するスペクトラム拡散クロック技術の重要性が高まっている。
【０００３】
スキャナ、デジタル複写機、デジタルカラー複写機、ファクシミリ等に適用可能な画像読取装置において、そのＥＭＩ対策に関連する技術として、特許文献１，２に開示されたようなものが知られており、これらの技術においては読取原稿の反射光を画像データに光電変換するＣＣＤ、画像データのオフセットとゲインを調整するアナログフロントエンド（ＡＦＥ）を制御するための信号に源振クロックを使用し、それ以外の画像処理部は周波数拡散した拡散クロック（spread spectrum clock）を使用している。
【０００４】
具体的には、特許文献１に開示された画像読取装置は、画像読取装置のタイミング回路をアナログ信号処理系クロック発生回路とデジタル信号処理系クロック発生回路に分け、アナログ信号処理系クロック発生回路では基準クロック発生器からの基準クロックを用い、デジタル信号処理系クロック発生回路ではスペクトラム拡散クロック発生器からの拡散クロックを用いるようにしたものである。
【０００５】
また、特許文献２に開示された画像読取装置は、画像読取装置のタイミング信号発生手段をアナログ信号処理系クロック発生手段とデジタル信号処理系クロック発生手段に分け、スペクトラム拡散クロック発生手段によるスペクトラム拡散クロックの変調幅を異ならせることで、各々の系に最適な変調幅、すなわち変調幅を選択することができ、画像ノイズの発生を抑制し、ＥＭＩ低減効果を得るようにしたものである。
【特許文献１】特開２００１−９４７３４号公報
【特許文献２】特開２００１−２６８３２５号公報
【発明の開示】
【発明が解決しようとする課題】
【０００６】
画像読取装置のスキャナユニットのうち、アナログ信号を扱うリニアイメージセンサ（ＣＣＤ）やアナログフロントエンド（ＡＦＥ）は一定周波数のクロックで動作させる必要があるが、一定周波数のクロックはＥＭＩ対策上の規制に対して不利であるので、デジタル信号処理部分にはスペクトラム拡散クロックを用いるのが一般である。
【０００７】
前記した特許文献１，２に開示された画像読取装置においても、アナログ信号を扱うＣＣＤやアナログフロントエンド（ＡＦＥ）は一定周波数のクロックで動作させ、デジタル信号を扱う画像処理部分ではスペクトラム拡散クロックを用いて動作させている。
【０００８】
しかしながら、一定周波数のクロックとスペクトラム拡散クロックは平均すれば同じ周波数であるものの、各周期でのタイミングは揃っていないので、同期転送では、画像処理の前段がデータを保持している期間と画像処理の後段がデータを取り込むタイミングとにずれが生じる。画像処理回路はタイミングが多少ずれても正しくデータが受け渡せるようにマージンを取って設計されるが、解像度、階調、読取スピードのさらなる高性能化が要求され、転送速度が上がってくると、設計が困難になる。このため、アナログフロントエンド（ＡＦＥ）から後段のＡＳＩＣ等からなる画像処理ＩＣへ入力される画像信号をラッチする際のタイミングを十分確保することも困難になる。
【０００９】
そこで、本発明は、アナログフロントエンドの後段に位置する画像処理回路において、前半ブロックと後半ブロックに分割されている回路構成に着目し、画像ノイズの低減とＥＭＩの低減を図ることが可能であるとともに、前半ブロックから後半ブロックへ画像信号を高速転送する際に画像信号のラッチを容易に、かつ確実に行うことが可能な画像処理装置を提供することを目的とする。
【００１０】
また、前半ブロックから後半ブロックへ画像データを高速に転送する際において、前半ブロックと後半ブロック間に外部メモリコントロール回路を介在させることにより、非同期回路を設ける必要がない画像処理装置を提供することを目的とする。
【課題を解決するための手段】
【００１１】
本発明は、前記課題を解決するためのもので、第１の技術手段は、原稿画像を読み取る光電変換部と、読み取った画像信号のオフセットとゲインを調整しデジタル画像信号に変換するアナログフロントエンド部と、前記デジタル画像信号に画像処理を施す画像処理部と、源振クロックを発生する源振クロック発生部と、前記源振クロックに基づきスペクトラム拡散クロックを発生する拡散クロック発生部とからなり、前記画像処理部は、前記源振クロックで動作し入力画像信号に第１の画像処理を施す前半ブロックと、該前半ブロックで画像処理が施された画像信号を非同期で受信し、前記拡散クロックで動作し第２の画像処理を施す後半ブロックとからなる画像処理装置であることを特徴とする。
【００１２】
第２の技術手段は、原稿画像を読み取る光電変換部と、読み取った画像信号のオフセットとゲインを調整しデジタル画像信号に変換するアナログフロントエンド部と、前記デジタル画像信号に画像処理を施す画像処理部と、源振クロックを発生させる源振クロック発生部と、前記源振クロックに基づきスペクトラム拡散クロックを発生させる拡散クロック発生部とからなり、前記画像処理部は、前記源振クロックで動作し入力画像信号に第１の画像処理を施す前半ブロックと、該前半ブロックで画像処理が施された画像信号を非同期で受信し、外部メモリへの書き込み及び読み出しを行う外部メモリコントローラと、前記拡散クロックで動作し前記外部メモリコントローラが読み出した画像信号を非同期で受信し、第２の画像処理を施す後半ブロックとからなる画像処理装置であることを特徴とする。
【００１３】
第３の技術手段は、第２の技術手段の画像処理装置において、前記拡散クロックの周波数より高い第２の拡散クロックを発生する第２の拡散クロック発生部を備え、前記外部メモリコントローラは前記第２の拡散クロックで動作することを特徴とする。
【００１４】
第４の技術手段は、第１または第２の技術手段の画像処理装置において、前記画像処理部は、前記デジタル画像信号に対しシェーディング補正処理、入力ガンマ補正処理、色補正処理、ＭＴＦ補正処理等を施し、前記後半ブロックでは少なくとも色補正処理を施すことを特徴とする。
【００１５】
第５の技術手段は、第１または第２の技術手段の画像処理装置において、前記画像処理部は制御信号生成部を備え、前記光電変換部とアナログフロントエンド部を制御する制御信号を前記源振クロックに基づいて生成することを特徴とする。
【００１６】
第６の技術手段は、第５の技術手段の画像処理装置において、前記制御信号生成部は、前記源振クロックを前記光電変換部とアナログフロントエンド部へ供給し、前記光電変換部とアナログフロントエンド部から戻した源振クロックを前記デジタル画像信号とともに前記前半ブロックに供給することを特徴とする。
【００１７】
第７の技術手段は、第１乃至第６のいずれかの技術手段の画像処理装置を備えた画像読取装置であることを特徴とする。
【００１８】
第８の技術手段は、第７の技術手段の画像読取装置を備えた画像形成装置であることを特徴とする。
【発明の効果】
【００１９】
本発明は、例えばＡＳＩＣのような画像処理ＩＣ内の画像処理ブロックを前半ブロックと後半ブロックの２ブロックに分割し、前半ブロックは源振クロック、後半ブロックは周波数拡散クロックで動作する構成であるので、画像ノイズの低減とＥＭＩの低減を図ることが可能となる。また、前半ブロックとＣＣＤ・ＡＦＥ制御信号生成部は同じ源振クロックで動作させることにより、高速画像転送であっても周波数拡散クロックを使用した場合よりもセットアップタイム、ホールドタイムの確保が容易となり、データを容易かつ確実にラッチすることができる。
【００２０】
また、前半ブロックと後半ブロック間のデータ転送は、高速化しても安定してデータの受け渡しができる非同期転送とするのが有利である。さらに、外部メモリコントローラを設ける場合、外部メモリとデータ以外に制御信号も遣り取りするため、外部メモリコントローラのクロック周波数を周辺ブロックの周波数よりも高くして、周辺ブロックとは非同期転送とすることが多い。本発明は、外部メモリコントローラを挟んで前半ブロック、後半ブロックを分割する構成であるので、外部メモリコントローラが前半ブロックと後半ブロック間の非同期転送回路を兼ねることができ、複雑で設計が困難な非同期転送回路を特に設ける必要がなくなる。
【００２１】
本発明は、光電変換部とアナログフロントエンド部を制御する制御信号を、前記前半ブロックを駆動する源振クロックに基づいて生成する制御信号生成部を備えているので、源振クロックに基づき光電変換部、アナログフロントエンド部に対して高精度の制御信号を供給することができる。
【００２２】
本発明の制御信号生成部は、前半ブロックを駆動する源振クロックを光電変換部とアナログフロントエンド部の回路基板側へ供給し、光電変換部とアナログフロントエンド部の回路基板から戻した源振クロックを入力画像信号と共に前半ブロックに入力するので、入力画像信号と源振クロックの遅延量を合わせることができる。
【発明を実施するための最良の形態】
【００２３】
以下、本発明の実施形態を、図１〜図６を参照して説明する。
（第１の実施形態）
図１は、本発明が適用される画像形成装置の全体構成を示すブロック図である。図１は画像形成装置がデジタル複写機１である例で、スキャナユニット２とプリンタエンジン３の各々が読み取った画像の画像処理を行うイメージコントローラ４に接続されている。画像処理ＬＳＩ５とページメモリ６が接続されているイメージコントローラ４は、ＰＣＩバス１４を介してシステムコントローラ１１に接続され、スキャナユニット２で読み取った画像に各種加工処理を施し、プリンタエンジン３からハードコピーを出力させ、またページメモリ６に画像データを記憶することができる。
【００２４】
デジタル複写機１は、ホストインタフェース７が接続されたＩ／Ｏコントローラ９を備え、ＵＳＢ、ＬＡＮ等を介して外部のパーソナルコンピュータ、画像形成装置等に接続可能となっており、外部から画像データを受信し、また外部へ画像データを送信することもできる。また、ハードディスク（ＨＤＤ）８がハードディスク（ＨＤＤ）コントローラ１０を介して接続され、スキャナユニット２で読み取った画像データやホストインタフェース７から入力した画像データを保存したり、ハードディスク（ＨＤＤ）８から画像データを取得し、プリンタエンジン３からハードコピーを出力させたりすることもできる。
【００２５】
デジタル複写機１の全体の制御は、システムメモリ（ＲＡＭ）１２に記憶されたプログラムに基づき動作するＣＰＵ１３により制御されるシステムコントローラ１１によって、ＰＣＩバス１４を介して行われる。本発明の画像処理装置は、図１に示すデジタル複写機１のスキャナユニット２の内部構成に関するものである。
【００２６】
図２は、本発明が適用される画像処理装置の第１の実施形態を示すブロック図である。第１の実施形態の画像処理装置は、アナログ信号を扱うスキャナ部分２０、デジタル信号を扱う画像処理部分３０から構成され、それぞれＣＣＤ・ＡＦＥ回路基板、画像処理基板に搭載されている。
【００２７】
スキャナ部分２０は、例えば電荷結合素子（Charge Coupled Device：ＣＣＤ）２１を用いたラインセンサの長手方向を主走査方向とし、ラインセンサを原稿に対して相対的に副走査方向に移動しながら、ＣＣＤ制御信号に基づき原稿を走査し読み取って、主走査方向に延びるライン毎に赤色（Ｒ）、緑色（Ｇ）、青色（Ｂ）の色信号からなるアナログ画像信号をアナログフロントエンド（ＡＦＥ）２２に出力する。
【００２８】
アナログフロントエンド（ＡＦＥ）２２は、ＣＣＤ２１で読み取ったアナログ画像信号の白レベル、黒レベルが後続するＡ／Ｄ変換の入力レンジに合うようにオフセット及びゲインを調整し、Ａ／Ｄ変換器によって、ＲＧＢ信号を画素毎に、例えば１０ビットのデジタル画像信号に変換する。
【００２９】
画像処理部分３０は、スキャナ部分２０からのデジタル画像信号をプリンタエンジン３に供給する信号を生成する部分で、第１の水晶発振器３１、第１の周波数拡散ＩＣ３２、第２の水晶発振器３３、第２の周波数拡散ＩＣ３４、外部メモリ３５、ＡＳＩＣ（Application Specific Integrated Circuit：特定用途向け集積回路）のような画像処理ＩＣ３６からなる。画像処理ＩＣ３６は、前半ブロック３７、外部メモリコントローラ３８、後半ブロック３９、ＣＣＤ・ＡＦＥ制御信号生成ブロック４０を内蔵している。なお、第１，第２の周波数拡散ＩＣ３２，３４は画像処理ＩＣ３６に内蔵するようにしてもよい。また、第２の周波数拡散ＩＣ３４は、別体として設けずに、第１の拡散周波数を逓信あるいは分周して適宜の周波数の拡散クロックを生成するようにしてもよい。
【００３０】
画像処理ＩＣ３６は前半ブロック３７、後半ブロック３９に分割され、前半ブロック３７と後半ブロック３９とによって処理対象画像信号に対し、シェーディング補正処理、入力ガンマ補正処理、ラインギャップ補正、色補正処理、ＭＴＦ補正処理、出力ガンマ補正処理等を行う。これらの処理のうち、色補正処理はＲ、Ｇ、Ｂ信号が出力されるタイミングが揃っている必要があるので、ラインギャップ補正処理部より後段の画像処理後半ブロック３９で処理する必要がある。したがって、前半ブロック３７には、シェーディング補正処理部３７ａ、入力ガンマ補正処理部３７ｂを配置し、後半ブロック３９には色補正処理部３９ａ、ＭＴＦ補正処理部３９ｂ、出力ガンマ補正処理部３９ｃを配置している。なお、後述するように、ラインギャップ補正は外部メモリコントローラ３８と外部メモリ３５によって行われる。また、画像処理ＩＣ３６での処理は、以上の処理に限られるものではなく、必要に応じ入力フォーマット変換処理、領域分離処理、中間調処理、不要ライン検出置換処理、出力フォーマット変換処理等を追加することができる。
【００３１】
図３は、画像処理ＩＣの内部構成の要部を示す図である。シェーディング補正処理部３７ａは、処理対象画像に含まれるスキャナ部分２０の照明系、結像系及び撮像系によって生じる各種の歪みによる光量分布を除去して、処理対象画像を光量分布のない画像データに変換するシェーディング補正処理を施す。
【００３２】
入力ガンマ補正処理部３７ｂは、シェーディング補正処理が施された処理対象画像の特性を、後半ブロック３９による画像処理において扱い易いように、処理対象画像がＣＣＤの感度に線形となるように補正する入力ガンマ補正処理を施す。
【００３３】
色補正処理部３９ａは、入力ガンマ補正処理が施されたＲＧＢ多値データに対して色補正処理を施して、フィルタ処理を行うＭＴＦ補正処理部３９ｂに供給する。ここで、色補正処理は、光学系や光電変換素子（ＣＣＤ）の色特性を補正し、スキャナユニット２として所定の色特性に整える。
【００３４】
ＭＴＦ補正処理部３９ｂは、色補正処理部３９ａからの処理対象画像の画素毎に２次元有限インパルス応答（Finite Impulse Response ：ＦＩＲ）フィルタをかけて、光学系やラインセンサの空間周波数特性を補正する。
【００３５】
出力ガンマ補正処理部３９ｃは、ＭＴＦ補正処理が施された処理対象画像の特性を、後半ブロック３９から続くブロックの特性に合わせた階調補正を施した画像データを、後段のブロックに供給する。例えば、複写の場合は、スキャナユニット２で前記処理が施された画像を、イメージコントローラ４が画像処理ＬＳＩ５を用いてプリンタエンジン３のための画像処理を施し、出力画像としてプリンタエンジン３に与える。
【００３６】
次に、スキャナ部分２０、画像処理部分３０の各構成要素を動作するクロックについて説明する。
図７は、源振クロックと源振クロックを所定の周波数で変調した拡散クロックの周波数スペクトラムを示す図である。第１の水晶発振器３１は周波数帯域が狭くピーク値の高い源振クロックを発生し、第１の周波数拡散ＩＣ３２に入力する。周波数拡散ＩＣ３２は、入力された源振クロックを所定の周波数でゆっくり変調することによって、図７に示すような周波数スペクトラムに拡散させ、ピーク時のエネルギーを低下させる。この点は、第２の水晶発振器３３、第２の周波数拡散ＩＣ３４についても同様であるが、第２の水晶発振器３３が発生する周波数は第１の水晶発振器３１が発生する周波数より高いものとなっている。
【００３７】
画像処理ＩＣ３６内のＣＣＤ・ＡＦＥ制御信号生成ブロック４０は、第１の水晶発振器３１が発生する源振クロックが入力され、ＣＣＤ制御信号、ＡＦＥ制御信号及び前半ブロック３７を動作させるためのクロックを生成する。画像処理ＩＣ３６側からＣＣＤ２１やアナログフロントエンド（ＡＦＥ）２２へのコマンドや、ＣＣＤ２１やアナログフロントエンド（ＡＦＥ）２２から画像処理ＩＣ３６へのデータは、一定周波数のクロックに同期したクロック信号なので、画質を劣化させることはないが、これらのケーブルからの不要輻射を抑えるために、ＬＶＤＳ（Low Voltage Differential Signaling）つまり低電圧の差動信号で転送する。
【００３８】
画像処理ＩＣ３６からアナログフロントエンド２２へ出力するＡＦＥ制御信号とアナログフロントエンド２２から画像処理ＩＣ３６へ入力される画像信号は、それぞれの転送経路で遅延が発生する。入力画像信号をラッチする源振クロックをＣＣＤ・ＡＦＥ回路基板を経由して画像処理基板に戻すようにして、画像信号と同じ経路で転送することにより、遅延量を合わせることができる。これにより、アナログフロントエンド２２からの画像信号を受ける前半ブロック３７はアナログ回路と同じ一定周波数のクロック（源振クロック）で動作させ、画像信号を容易かつ確実にラッチすることができる。一方、後半ブロック３９は第１の周波数拡散ＩＣ３２が発生するスペクトラム拡散クロックで動作させて、拡散クロックを部分的に使用することによりＥＭＩを抑制する。また、前半ブロック３７と後半ブロック３９との間に外部メモリコントローラ３８を介し、前半ブロック３７から外部メモリコントローラ３８への画像信号の転送、外部メモリコントローラ３８から後半ブロック３９への転送をそれぞれ非同期転送とする。
【００３９】
図６は、クロックによって画像信号をラッチする様子を示す図で、図６（Ａ）は、クロックが源振クロックである場合を示し、図６（Ｂ）は、クロックが拡散クロックである場合を示す。本発明においては、前半ブロック３７とＣＣＤ・ＡＦＥ制御信号生成部４０は第１の水晶発振器３１が発生する同じ源振クロックで動作することにより、高速画像転送であっても、図６（Ｂ）に示す周波数拡散クロックを使用した場合よりも図６（Ａ）に示すように、長いセットアップタイム、ホールドタイムを確保することが容易になり、確実に画像信号をラッチすることができる。
【００４０】
カラー複写機の場合、スキャナ部分２０ではＲＧＢ毎に３本のＣＣＤラインセンサが同時に読み取っているのは原稿上の異なるラインである。このため、得られた画像信号にはラインギャップがあり、副走査方向への走査に伴って原稿上の同じラインのＲＧＢ読み取り信号が一定ラインずつ遅延して出力される。したがって、この遅延を待ち合わせて同じラインのＲＧＢ信号としてまとめるため、複数ラインのデータを記憶する外部メモリ３５を設け、前半ブロック３７と後半ブロック３９の間に外部メモリコントローラ３８を設けている。
【００４１】
外部メモリ３５へのデータの読み出し、データの書き込みは、画像データ以外にコマンド、ステータスのやり取りもあるため、外部メモリコントローラ３８へ供給するクロックの平均周波数は、前後の画像処理の周波数より高く設定する必要があり、前後の画像処理と外部メモリコントローラ３８の間も非同期で転送する必要がある。
【００４２】
このため、図２に示す例においては、第１の水晶発振器３１、第１の周波数拡散ＩＣ３２が発生するクロック周波数より高い周波数を発生する第２の水晶発振器３３、第２の周波数拡散ＩＣ３４を設け、第２の周波数拡散ＩＣ３４が発生した高い周波数の拡散クロックを外部メモリコントローラ３８に供給している。前半ブロック３７と後半ブロック３９間に介在させた外部メモリコントローラ３８に、一定周波数のクロックから拡散クロックへの受け渡しの非同期転送手段の機能を兼ねさせれば、非同期転送手段を別途設ける必要はなくなる。非同期回路は一般に複雑で設計が難しく、増やさないことが望ましい。
【００４３】
（第２の実施形態）
図４は、画像処理装置の第２の実施形態を示すブロック図である。第２の実施形態の画像処理装置は、スキャナ部分２０と画像処理部分３０から構成されている。スキャナ部分２０は第１の実施形態の画像処理装置と同様の構成であり、画像処理部分３０は、水晶発振器３１、周波数拡散ＩＣ３２、ＡＳＩＣのような画像処理ＩＣ３６から構成されている。画像処理ＩＣ３６は、前半ブロック３７、後半ブロック３９、ＣＣＤ・ＡＦＥ制御信号生成ブロック４０を内蔵しているが、第１の実施形態の画像処理装置が備えている外部メモリコントローラ、第２の周波数拡散ＩＣを備えていない。前半ブロック３７、後半ブロック３９で画像データに対し行われる処理は、第１の実施形態の画像処理装置における処理と同様である。
【００４４】
第２の実施形態の画像処理装置においては、水晶発振器３１が発生する源振クロックがＣＣＤ・ＡＦＥ制御信号生成ブロック４０に供給され、ＣＣＤ・ＡＦＥ制御信号生成ブロック４０で生成されたＣＣＤ制御信号がＣＣＤ２１に供給され、ＡＦＥ制御信号がアナログフロントエンド２２に供給される。また、水晶発振器３１が発生する源振クロックは前半ブロック３７に供給され、アナログフロントエンド２２からの入力信号のラッチを容易にしている。画像処理ＩＣ３６の後半ブロック３９には、周波数拡散ＩＣ３２で発生される拡散クロックが供給され、ＥＭＩが抑制される。前半ブロック３７から後半ブロック３９へのデータ転送は非同期で行われる。
【００４５】
（第３の実施形態）
図５は、画像処理装置の第３の実施形態を示すブロック図である。第３の実施形態の画像処理装置は、スキャナ部分２０と画像処理部分３０から構成されている。スキャナ部分２０、画像処理部分３０の構成は第１の実施形態の画像処理装置と同様で、前半ブロック３７、後半ブロック３９で画像データに対し行われる処理も第１または第２の実施形態の画像処理装置における処理と同様である。
【００４６】
第３の実施形態の画像処理装置においては、水晶発振器３１が発生する源振クロックがＣＣＤ・ＡＦＥ制御信号生成ブロック４０に供給され、ＣＣＤ・ＡＦＥ制御信号生成ブロック４０で生成されたＣＣＤ制御信号がＣＣＤ２１に供給され、ＡＦＥ制御信号がアナログフロントエンド２２に供給される。また、前半ブロック３７に供給されるクロックは、源振クロックを光電変換部２１とアナログフロントエンド部２２の回路基板を経由して画像処理基板に戻すことにより、入力画像信号をラッチする源振クロックの遅延量を画像信号の遅延量に合わせることができる。
【００４７】
第３の実施形態の画像処理装置においても、前半ブロック３７に供給されるクロックは、水晶発振器３１が発生する源振クロックを所定量遅延させたものであるので、アナログフロントエンド２２からの入力信号のラッチを容易にしている。また、後半ブロック３９には、周波数拡散ＩＣ３２で発生される拡散クロックが供給され、拡散クロックが使用されることによりＥＭＩが抑制される。前半ブロック３７から後半ブロック３９へのデータ伝送は非同期で行われる。
【図面の簡単な説明】
【００４８】
【図１】本発明が適用される画像形成装置の全体構成を示すブロック図である。
【図２】画像処理装置の第１の実施形態を示すブロック図である。
【図３】画像処理ＩＣの内部構成の要部を示す図である。
【図４】画像処理装置の第２の実施形態を示すブロック図である。
【図５】画像処理装置の第３の実施形態を示すブロック図である。
【図６】クロックによって画像信号をラッチする様子を示す図である。
【図７】源振クロックと源振クロックを所定の周波数で変調した拡散クロックの周波数スペクトラムを示す図である。
【符号の説明】
【００４９】
１…デジタル複写機、２…スキャナユニット、３…プリンタエンジン、４…イメージコントローラ、５…画像処理ＬＳＩ、６…ページメモリ、７…ホストインタフェース、８…ハードディスク（ＨＤＤ）、９…Ｉ／Ｏコントローラ、１０…ハードディスク（ＨＤＤ）コントローラ、１１…システムコントローラ、１２…システムメモリ、１３…ＣＰＵ、１４…ＰＣＩバス、２０…スキャナ部分、２１…電荷結合素子（ＣＣＤ）、２２…アナログフロントエンド（ＡＦＥ）、３０…画像処理部分、３１…第１の水晶発振器、３２…第１の周波数拡散ＩＣ、３３…第２の水晶発振器、３４…第２の周波数拡散ＩＣ、３５…外部メモリ、３６…画像処理ＩＣ（ＡＳＩＣ）、３７…画像処理前半ブロック、３７ａ…シェーディング補正処理部、３７ｂ…入力ガンマ補正処理部、３８…外部メモリコントローラ、３９…画像処理後半ブロック、３９ａ…色補正処理部、３９ｂ…ＭＴＦ補正処理部、３９ｃ…出力ガンマ補正処理部、４０…ＣＣＤ・ＡＦＥ制御信号生成ブロック。
【図１】
2007150560.tif 000003
【図２】
2007150560.tif 000004
【図３】
2007150560.tif 000005
【図４】
2007150560.tif 000006
【図５】
2007150560.tif 000007
【図６】
2007150560.tif 000008
【図７】
2007150560.tif 000009